(57)【要約】      （修正有）【課題】簡単な構造でありながら、スクリューキャップの開封、若しくは再栓が円滑且つ容易にできる開封装置及び包装容器を提供する。【解決手段】包装容器の頂面に形成された内容液注出用の開口予定部を覆って頂面に固着される円筒状スパウトと、スパウトの外周側面に内周側面で螺合するスクリューキャップ５とを少なくとも備え、スクリューキャップの外周側面に、少なくとも、開封時に、開封者の指に係止するに十分な凸状の２本の突条６aが、スクリューキャップの円中心から対称的に形成されていることを特徴とする。【選択図】図１
2013220819.tif 000002
【特許請求の範囲】
【請求項１】
紙基材を折畳んで形成された包装容器の開封装置であって、
包装容器の頂面に形成された内容液注出用の開口予定部を覆って頂面に固着される円筒状スパウトと、該スパウトの外周側面に内周側面で螺合するスクリューキャップとを少なくとも備え、
該スクリューキャップの外周側面に、少なくとも、開封時に、開封者の指に係止するに十分な凸状の２本の突条が、該スクリューキャップの円中心から対称的に形成されていることを特徴とする開封装置。
【請求項２】
該突条の寸法が、２〜３ミリメートルの高さ及び／又は２〜３ミリメートルの幅を持ち、高齢者若しくは年少者の指に係止するに十分な寸法である請求項１に記載の開封装置。
【請求項３】
２本の該突条が、開封前に該スクリューキャップの外周側面に横倒し状態で溝に収納され、横倒し状態の該突条の両端のヒンジ部と弱め部とで、該スクリューキャップの外周側面に、液密的に接合し、開封時に該スクリューキャップの開封方向回転によって、該弱め部が切断され、該ヒンジ部を中心に外方向に凸状に起き上がる請求項１に記載の開封装置。
【請求項４】
該スパウトの外周側面上であって、開封前に該スクリューキャップの内周側面に圧接し、開封時に該スクリューキャップの開封方向回転によって、横倒し状態の該突条の内側面に移動して押圧する弱め部切断容易手段を備える請求項３に記載の開封装置。
【請求項５】
凸状に起き上がった該突条が、該スクリューキャップの開封済みを示すタンパーエビデンスとして機能する請求項４に記載の開封装置。
【請求項６】
頂面に開封装置を有する、紙基材を折畳んで形成された包装容器であって、
該開封装置が、該包装容器の頂面に形成された内容液注出用の開口予定部を覆って頂面に固着される円筒状スパウトと、スパウトの外周側面に内周側面で螺合するスクリューキャップとを少なくとも備え、
該スクリューキャップの外周側面には、少なくとも、開封時に、開封者の指に係止するに十分な凸状の２本の突条が、該スクリューキャップの円中心から対称的に形成され、
２本の該突条が、開封前に該スクリューキャップの外周側面に横倒し状態で溝に収納され、横倒し状態の該突条の両端のヒンジ部と弱め部とで、該スクリューキャップの外周側面に、液密的に接合し、開封時に該スクリューキャップの開封方向回転によって、該弱め部が切断され、該ヒンジ部を中心に外方向に凸状に起き上がり、
該スパウトの外周側面上であって、開封前に該スクリューキャップの内周側面に圧接し、開封時に該スクリューキャップの開封方向回転によって、横倒し状態の該突条の内側面に移動して押圧する弱め部切断容易手段を備え、
凸状に起き上がった該突条が、該スクリューキャップの開封済みを示すタンパーエビデンスとして機能する、
ことを特徴とする包装容器。
【発明の詳細な説明】
【技術分野】
【０００１】
本発明は、液体食品用の包装容器に使用されるスクリューキャップの開封装置及びそのキャップを装着した紙包装容器に関する。
【背景技術】
【０００２】
柔軟性に富んだ紙包装材料は多年にわたって液体食品を包装するために用いられてきた。牛乳、果汁ジュース、野菜ジュース、豆乳、ワイン、清酒、焼酎、ミネラルウォーター、スープ及びその他飲料のための図５に示すような包装容器１は、例えば、繊維質基材（例えば、紙など）／プラスチック積層体に折目線が付けられたウェブ状包装材料を、その長手方向の縦線シールによりチューブ状に成形し、チューブ状に成形された包装材料内に液体食品を充填し、チューブ状包装材料を横断方向に横線シールし、枕状の包装体（一次形状容器）に成形する。
枕状の包装体を横シール部分で容器１個分ごとに切断し、最終成形工程で、折目線に沿って山折り若しくは谷折に、フィン及びフラップを折畳んで、図５に示すレンガ状の容器１が成形される。
【０００３】
包装容器例１は、容器頂部に、図５（Ｂ）に示すように、スクリューキャップ付き開封装置２を備える。この開封装置例では、図５（Ａ）に示すように、フィルム４が張られた開口部３上に、注ぎ口のスパウトとそれと螺合するスクリューキャップとからなる。（例えば、特許文献１参照）
【先行技術文献】
【特許文献】
【０００４】
【特許文献１】特開２００３−０２６２１９号公報
【発明の概要】
【発明が解決しようとする課題】
【０００５】
図５（Ｂ）に示すようなスクリューキャップ５では、通常、キャップの外側周面に形成された縦線状の細かい多数の凹凸が形成されている。キャップ５を回転して開封する際に、キャップ５の側面を消費者が指で握り、凹凸の抵抗を利用する。しかしながら、凹凸が細かく、特に、キャップ径が小さい場合、凹凸から指が滑ってキャップ５を容易かつ円滑に回転しにくい不都合がある。
本発明の目的は、簡単な構造でありながら、スクリューキャップの開封、若しくは再栓が円滑且つ容易にできる開封装置及び包装容器を提供することである。
【課題を解決するための手段】
【０００６】
この発明は、紙基材を折畳んで形成された包装容器の開封装置であって、
包装容器の頂面に形成された内容液注出用の開口予定部を覆って頂面に固着される円筒状スパウトと、スパウトの外周側面に内周側面で螺合するスクリューキャップとを少なくとも備え、
スクリューキャップの外周側面に、少なくとも、開封時に、開封者の指に係止するに十分な凸状の２本の突条が、スクリューキャップの円中心から対称的に形成されていることを特徴とする。
【０００７】
この発明の好ましい態様において、突条の寸法が、２〜３ミリメートルの高さ及び／又は２〜３ミリメートルの幅を持ち、高齢者若しくは年少者の指に係止するに十分な寸法である。
【０００８】
この発明の好ましい態様において、２本の突条が、開封前にスクリューキャップの外周側面に横倒し状態で溝に収納され、横倒し状態の突条の両端のヒンジ部と弱め部とで、スクリューキャップの外周側面に、液密的に接合し、開封時にスクリューキャップの開封方向回転によって、弱め部が切断され、ヒンジ部を中心に外方向に凸状に起き上がる。
【０００９】
この発明の好ましい態様において、スパウトの外周側面上であって、開封前にスクリューキャップの内周側面に圧接し、開封時にスクリューキャップの開封方向回転によって、横倒し状態の突条の内側面に移動して押圧する弱め部切断容易手段を備える。
【００１０】
この発明の好ましい態様において、凸状に起き上がった突条が、スクリューキャップの開封済みを示すタンパーエビデンスとして機能する。
【００１１】
この発明は、頂面に開封装置を有する、紙基材を折畳んで形成された包装容器であって、
開封装置が、包装容器の頂面に形成された内容液注出用の開口予定部を覆って頂面に固着される円筒状スパウトと、スパウトの外周側面に内周側面で螺合するスクリューキャップとを少なくとも備え、
スクリューキャップの外周側面には、少なくとも、開封時に、開封者の指に係止するに十分な凸状の２本の突条が、スクリューキャップの円中心から対称的に形成され、
２本の突条が、開封前にスクリューキャップの外周側面に横倒し状態で溝に収納され、横倒し状態の突条の両端のヒンジ部と弱め部とで、スクリューキャップの外周側面に、液密的に接合し、開封時にスクリューキャップの開封方向回転によって、弱め部が切断され、ヒンジ部を中心に外方向に凸状に起き上がり、
スパウトの外周側面上であって、開封前にスクリューキャップの内周側面に圧接し、開封時にスクリューキャップの開封方向回転によって、横倒し状態の突条の内側面に移動して押圧する弱め部切断容易手段を備え、
凸状に起き上がった突条が、スクリューキャップの開封済みを示すタンパーエビデンスとして機能する、
ことを特徴とする。
【発明の効果】
【００１２】
上記構成の本発明によれば、以下の作用機能を発揮し、有利な効果が得られる。
この発明は、紙基材を折畳んで形成された包装容器及びそれに使用する開封装置に関する。
包装容器に収容された液体食品は、開封装置によって開けられた開口から注ぎ出される。
開封装置は、包装容器の頂面に形成された内容液注出用の開口予定部を覆って頂面に固着される円筒状スパウトと、スパウトの外周側面に内周側面で螺合するスクリューキャップとを少なくとも備える。
開封時に、スクリューキャップが、スパウトの外周側面を開封方向に螺旋状に回転され、開口予定部が開口され、内容液が円筒状スパウトを流れて注出される。
【００１３】
この発明の特徴において、スクリューキャップの外周側面に、少なくとも、開封時に、開封者の指に係止するに十分な凸状の２本の突条が、スクリューキャップの円中心から対称的に形成されている。
２本の突条の凸形状に指を十分に係止させ、引掛けて安定して保持することができるので、キャップを確実且つ容易に回転で開封して内溶液を注出すことができる。
【００１４】
この発明の好ましい態様において、突条の寸法が、２〜３ミリメートルの高さ及び／又は２〜３ミリメートルの幅を持ち、高齢者若しくは年少者の指に係止するに十分な寸法である。
突条の寸法が、２〜３ミリメートルの高さ及び／又は２〜３ミリメートルの幅を持っているので、高齢者若しくは年少者の指に係止することができる。
【００１５】
この発明の好ましい態様において、２本の突条が、開封前にスクリューキャップの外周側面に横倒し状態で溝に収納され、横倒し状態の突条の両端のヒンジ部と弱め部とで、スクリューキャップの外周側面に、液密的に接合し、開封時にスクリューキャップの開封方向回転によって、弱め部が切断され、ヒンジ部を中心に外方向に凸状に起き上がる。
開封前においては、２本の突条が、スクリューキャップの外周側面に横倒し状態で溝に収納されている。この横倒し状態では、一見して、スクリューキャップの外周側面から突き出た部分を見つけつことができない。横倒し状態の突条の両端のヒンジ部と弱め部とで、スクリューキャップの外周側面に、液密的に接合する。開封前の状態では、スクリューキャップがスパウトとの螺合により密封することができる。
開封時には、スクリューキャップを開封方向に回転させると、機械的強度が低い弱め部において切断され、機械的強度が大きいヒンジ部が保持される。横倒し状態の突条がそのヒンジ部を中心に外方向に凸状に起き上がる。
この起き上がりによって、開封者の指に係止するに十分な凸状の２本の突条が、スクリューキャップの円中心から対称的に形成されている。
【００１６】
この発明の好ましい態様において、開封装置は、スパウトの外周側面上であって、開封前にスクリューキャップの内周側面に圧接し、開封時にスクリューキャップの開封方向回転によって、横倒し状態の突条の内側面に移動して押圧する弱め部切断容易手段を備える。
弱め部切断容易手段は、スパウトの外周側面上であって、開封前に、横倒し状態の突条の一端外の近傍位置のスクリューキャップの内周側面に圧接する。突条の一端外であるので、突条自体を押すことがなく、開封前に密封状態を崩すことはない。
弱め部切断容易手段は、開封時に、スクリューキャップの開封方向回転によって、横倒し状態の突条の内側面に移動して押圧する。しかも、横倒し状態の突条の一端外の近傍位置からの動きであるので、僅かな力、僅かの移動で、横倒し状態の突条の内側面を押圧する。その押圧によって、機械的強度が低い弱め部において容易に切断される。
弱め部切断容易手段の具体例には、突起、突条などがある。
【００１７】
この発明の好ましい態様において、凸状に起き上がった突条が、スクリューキャップの開封済みを示すタンパーエビデンスとして機能する。
上記の弱め部切断容易手段は、横倒し状態の突条の内側面を押圧するので、凸状に起き上がった突条を元の横倒し状態に戻すことはなく、スクリューキャップの開封済みを一見して明らかに示すことができる。
上述のように、簡単な構造でありながら、スクリューキャップの開封、若しくは再栓が円滑且つ容易にできる開封装置及び包装容器を提供することができる。
【図面の簡単な説明】
【００１８】
【図１】この発明による開封装置のスクリューキャップの第１実施例の斜視図である。
【図２】この発明による包装容器の開封装置のスクリューキャップの第２実施例の斜視図である。
【図３】この発明による開封装置のスクリューキャップの第３実施例の動作機構を示す斜視図である。
【図４】この発明によるスクリューキャップの第３実施例の動作機構を示す平面断面図である。
【図５】この発明で使用することができる開封装置付きレンガ状包装容器を示す斜視図である。
【図６】この発明によるスクリューキャップの第３実施例の組立て及び開封動作を示す側面図である。
【発明を実施するための形態】
【００１９】
以下、本発明の実施の形態について図面を参照しながら詳細に説明する。
この実施態様は、紙基材を折畳んで形成された包装容器及びそれに使用する開封装置である。
包装容器１は、容器頂部に、図５（Ｂ）に示すように、スクリューキャップ５付き開封装置２を備える。
包装容器に収容された液体食品は、開封装置２によって開けられた開口のスパウト（図５に図示せず）から注ぎ出される。
この開封装置では、図５（Ａ）に示すように、フィルム４が張られた開口部３上に、注ぎ口のスパウトとそれと螺合するスクリューキャップ５とからなる。
【００２０】
開封装置２は、包装容器１の頂面に形成された内容液注出用の開口予定部３を覆って頂面に固着される円筒状スパウト７（図６に示す）と、スパウト７の外周側面に内周側面で螺合するスクリューキャップ５とを少なくとも備え、図３、４、６に示す第３実施例では、スパウト７内に収納される回転刃１１も備える。
開封時に、スクリューキャップ５が、スパウト７の外周側面を開封方向に螺旋状に回転され、開口予定部が開口され、内容液が円筒状スパウト７を流れて注出される。
【００２１】
この実施態様において、図１に示す第１実施例及び図２に示す第２実施例に示すように、スクリューキャップ５の外周側面５ａに、開封時に、開封者の指に係止するに十分な凸状の２本の突条６ａ，６ａが、スクリューキャップの円中心から対称的に形成されている。
【００２２】
更に、第１実施例及び第２実施例では、キャップ５の外周側面５ａに、開封前から２本の突条６ａ，６ａが、設けられると共に、従来の小さな細かい突条５ｂ（第１実施例）若しくは溝５ｂ（第２実施例）が設けられる。
消費者が、２本の突条の凸形状に指を十分に係止させることができ、これに引掛けて安定して保持することができる。その結果、キャップを確実且つ容易に回転で開封して内溶液を注出すことができる。
【００２３】
第１実施例及び第２実施例の態様において、突条の寸法が、２〜３ミリメートルの高さを持ち、高齢者若しくは年少者の指に係止するに十分な寸法である。なお、その幅の寸法も２〜３ミリメートルに設計することができる。
突条の寸法が、２〜３ミリメートルの高さ及び／又は２〜３ミリメートルの幅を持っているので、高齢者若しくは年少者の指に係止することができる。
【００２４】
図３、４及び６に示す第３実施例の態様を説明する。この態様において、図３（Ａ）及び図４（Ａ）、図６（Ｅ）に示すように、２本の突条６ｂが、開封前にスクリューキャップ５の外周側面５ａに横倒し状態で溝に収納され、横倒し状態の突条の両端のヒンジ部９と弱め部１０とで、スクリューキャップ５の内周側面とスパウト７の外周側面とに、液密的に接合する。
図３（Ｂ）及び図４（Ｂ）、図６（Ｆ）に示すように、開封時にスクリューキャップ５の開封方向回転によって、弱め部１０が切断され、ヒンジ部９を中心に外方向に凸状に起き上がる。
開封前においては、図３（Ａ）及び図４（Ａ）に示すように、２本の突条６ｂが、スクリューキャップ５の外周側面５ａに横倒し状態で溝に収納されている。この横倒し状態では、一見して、スクリューキャップの外周側面５ａから突き出た部分を見つけつことができない。横倒し状態の突条の両端のヒンジ部９と弱め部１０とで、スクリューキャップ５の外周側面５ａに、液密的に接合する。開封前の状態では、スクリューキャップ５がスパウト７との螺合により密封する。
【００２５】
開封時には、図３（Ｂ）及び図４（Ｂ）、図６（Ｆ）に示すように、スクリューキャップ５を開封方向に回転させると、機械的強度が低い弱め部１０において切断され、機械的強度が大きいヒンジ部９が保持される。横倒し状態の突条６ｂがそのヒンジ部を中心に外方向に凸状６ａに起き上がる。
この起き上がりによって、開封者の指に係止するに十分な凸状の２本の突条６ａが、スクリューキャップの円中心から対称的に形成されている。
【００２６】
図４（Ａ）及び（Ｂ）に示す第３実施例の態様において、開封装置は、スパウト７の外周側面上であって、開封前にスクリューキャップ５の内周側面に圧接し、開封時にスクリューキャップ５の開封方向回転によって、横倒し状態の突条６ｂの内側面に移動して押圧する弱め部切断容易手段８を備える。
弱め部切断容易手段８は、スパウト７の外周側面上であって、開封前に、横倒し状態の突条６ｂの一端外の近傍位置のスクリューキャップ５の内周側面に圧接する。突条の一端外であるので、突条６ｂ自体を押すことがなく、開封前に密封状態を崩すことはない。
弱め部切断容易手段８は、開封時に、スクリューキャップの開封方向回転によって、横倒し状態の突条６ｂの内側面に移動して押圧する。しかも、横倒し状態の突条６ｂの一端外の近傍位置からの動きであるので、僅かな力、僅かの移動で、横倒し状態の突条６ｂの内側面を押圧する。その押圧によって、機械的強度が低い弱め部１０において、１０ａ端と１０ｂ端とに容易に切断される。弱め部切断容易手段８は、突起、突条である。
【００２７】
図３（Ｂ）及び図４（Ｂ）、図６（Ｆ）に示す外観のように、第３実施例の態様において、凸状に起き上がった突条６ａが、スクリューキャップ５の開封済みを示すタンパーエビデンスとして機能する。
上記の弱め部切断容易手段８は、横倒し状態の突条６ｂの内側面を押圧するので、凸状に起き上がった突条６ａを元の横倒し状態に戻すことはなく、スクリューキャップ５の開封済みを一見して明らかに示すことができる。
【００２８】
第３実施例の開封装置の組立て／動作を、図６に示す。図６（Ａ）ように、キャップ５を準備し、スパウト７と開封回転刃１１との一体成形体とを合わせる。
図６（Ａ）に示すように、矢印方向に押して開封回転刃１１の円筒部外周面をスパウト７内で通過させて、図６（Ｂ）に示すように、開封回転刃１１をスパウト７の注出筒内に嵌め込む。
図６（Ｂ）に示す矢印のようにキャップをスパウト７の外周面に螺合させ、図６（Ｃ）に示す開封装置を得る。
図６（Ｄ）、（Ｅ）に示すように、開封装置を、スパウトの基部で容器頂部の開口予定部３の近傍に接合する。
図６（Ｆ）に示すように、キャップ５を回転させると、開封回転刃１１は、スパウトに内蔵され、キャップ５の開封時の螺旋状上運動に連動して螺旋状に下方運動する。開封回転刃１１の下端刃は、開口部３の破断可能な封止フィルム４を、破断片４ａ状に破断する。この動作と同時、若しくは先行して上述の突条６ａが凸状に起き上がる。
【００２９】
なお、本発明は前記実施の形態に限定されるものではなく、本発明の趣旨に基づいて種々変形させることが可能であり、それらを本発明の範囲から排除するものではない。
【産業上の利用可能性】
【００３０】
この発明は、液体食品の包装充填の製造に適用することができる。
【符号の説明】
【００３１】
１    包装容器
５    キャップ
６    突条
７    スパウト
８    弱め部容易切断手段
９    ヒンジ部
１０  弱め部
【図１】
2013220819.tif 000003
【図２】
2013220819.tif 000004
【図３】
2013220819.tif 000005
【図４】
2013220819.tif 000006
【図５】
2013220819.tif 000007
【図６】
2013220819.tif 000008